【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
被検眼の複数の断層画像を連続的に表示手段に表示させる表示制御手段と、
前記複数の断層画像の枚数に基づいて、所定の領域において前記複数の断層画像が連続的に表示される表示時間を自動的に変更する変更手段と、
を有することを特徴とする画像処理装置。
【請求項２】
前記表示制御手段が、前記所定の領域において、前記複数の断層画像から構成される３次元断層画像のうち略中央の２次元断層画像を表示させ、前記複数の断層画像を連続的に表示させるための信号に応じて、前記複数の断層画像を取得した順番に連続的に表示させることを特徴とする請求項１に記載の画像処理装置。
【請求項３】
前記表示制御手段が、前記３次元断層画像のうち端の２枚の断層画像を、前記所定の領域よりも小さく且つ該所定の領域の上下に位置する領域に表示させることを特徴とする請求項２に記載の画像処理装置。
【請求項４】
前記変更手段は、前記複数の断層画像の枚数に基づいて、前記所定の領域に表示されている断層画像と該断層画像の取得位置に対応する位置との表示時間を自動的に変更することを特徴とする請求項１乃至３のいずれか１項に記載の画像処理装置。
【請求項５】
前記複数の断層画像の枚数は、前記被検眼の眼底での前記測定光の主走査線数であることを特徴とする請求項１乃至４のいずれか１項に記載の画像処理装置。
【請求項６】
前記複数の断層画像のうち前記表示手段に表示させる複数の断層画像を選択する選択手段を更に有し、
前記変更手段は、前記選択された複数の断層画像の枚数に基づいて、前記所定の領域に表示される断層画像の表示時間を自動的に変更することを特徴とする請求項１乃至５のいずれか１項に記載の画像処理装置。
【請求項７】
前記複数の断層画像の画像評価指標を算出する算出手段を更に有し、
前記選択手段は、前記複数の断層画像のうち前記画像評価指標の低い断層画像を選択することを特徴とする請求項６に記載の画像処理装置。
【請求項８】
前記複数の断層画像を評価する画像評価情報を取得する取得手段を更に有し、
前記変更手段は、前記複数の断層画像の枚数及び前記取得された画像評価情報に基づいて、前記複数の断層画像のうち一部の断層画像の表示時間を他の断層画像とは異なる表示時間に自動的に変更することを特徴とする請求項１乃至６のいずれか１項に記載の画像処理装置。
【請求項９】
被検眼の複数の断層画像を連続的に表示手段に表示させる表示制御手段と、
前記複数の断層画像を評価する画像評価情報を取得する取得手段と、
前記取得された画像評価情報に基づいて、前記複数の断層画像のうち一部の断層画像の表示時間を他の断層画像とは異なる表示時間に自動的に変更する変更手段と、
を有することを特徴とする画像処理装置。
【請求項１０】
前記表示制御手段は、前記連続的に表示される複数の断層画像の取得位置を示す表示形態を前記被検眼の眼底画像に対応させた状態で前記表示手段に表示させることを特徴とする請求項１乃至９のいずれか１項に記載の画像処理装置。
【請求項１１】
請求項１乃至１０のいずれか１項に記載の画像処理装置と通信可能に接続された眼科装置により前記被検眼を撮影して得た複数の断層画像を取得する取得手段を更に有することを特徴とする画像処理装置。
【請求項１２】
前記変更手段は、前記複数の断層画像の枚数が多いほど、前記表示時間を短くすることを特徴とする請求項１乃至１１のいずれか１項に記載の画像処理装置。
【請求項１３】
コンピュータを、請求項１乃至１２のいずれか１項に記載の画像処理装置の各手段として実行させることを特徴とするプログラム。
【請求項１４】
測定光を照射した被検眼からの戻り光と、該測定光に対応する参照光とを合波した合波光に基づいて、該被検眼の断層画像を取得する断層画像取得手段と、
前記複数の断層画像を連続的に表示手段に表示させる表示制御手段と、
前記複数の断層画像の数に基づいて、所定の領域において前記複数の断層画像が連続的に表示される表示時間を自動的に変更する変更手段と、
を有することを特徴とする眼科装置。
【請求項１５】
測定光を照射した被検査物からの戻り光と、該測定光に対応する参照光とを合波した合波光に基づいて該被検査物の断層画像を取得する医療装置を有する医療システムであって、
前記複数の断層画像を連続的に表示手段に表示させる表示制御手段と、
前記複数の断層画像の数に基づいて、所定の領域において前記複数の断層画像が連続的に表示される表示時間を自動的に変更する変更手段と、
を有することを特徴とする医療システム。
【請求項１６】
前記被検査物で前記測定光を走査する走査手段を更に有し、
前記所定の領域に表示されている断層画像の取得する際の前記走査手段の走査位置及び走査方向を、該所定の領域よりも小さい領域に表示させることを特徴とする請求項１５に記載の医療システム。
【請求項１７】
被検眼の複数の断層画像を連続的に表示手段に表示させる工程と、
前記複数の断層画像の数に基づいて、所定の領域において前記複数の断層画像が連続的に表示される表示時間を自動的に変更する工程と、
を有することを特徴とする画像処理方法。
【請求項１８】
被検眼の複数の断層画像を連続的に表示手段に表示させる工程と、
前記複数の断層画像を評価する画像評価情報を取得する工程と、
前記取得された画像評価情報に基づいて、前記複数の断層画像のうち一部の断層画像の表示時間を他の断層画像とは異なる表示時間に自動的に変更する工程と、
を有することを特徴とする画像処理方法。
【手続補正２】
【補正対象書類名】明細書
【補正対象項目名】発明の名称
【補正方法】変更
【補正の内容】
【発明の名称】画像処理装置、画像処理方法、眼科装置及び医療システム
【手続補正３】
【補正対象書類名】明細書
【補正対象項目名】０００１
【補正方法】変更
【補正の内容】
【０００１】
本発明は、眼科診療等に用いられる画像処理装置、画像処理方法、眼科装置及び医療システムに関する。
【手続補正４】
【補正対象書類名】明細書
【補正対象項目名】０００６
【補正方法】変更
【補正の内容】
【０００６】
本発明に係る画像処理装置の一つは、
被検眼の複数の断層画像を連続的に表示手段に表示させる表示制御手段と、
前記複数の断層画像の枚数に基づいて、所定の領域において前記複数の断層画像が連続的に表示される表示時間を自動的に変更する変更手段と、を有する。
また、本発明に係る画像処理装置の一つは、
被検眼の複数の断層画像を連続的に表示手段に表示させる表示制御手段と、
前記複数の断層画像を評価する画像評価情報を取得する取得手段と、
前記取得された画像評価情報に基づいて、前記複数の断層画像のうち一部の断層画像の表示時間を他の断層画像とは異なる表示時間に自動的に変更する変更手段と、を有する。
また、本発明に係る画像処理方法の一つは、
被検眼の複数の断層画像を連続的に表示手段に表示させる工程と、
前記複数の断層画像の数に基づいて、所定の領域において前記複数の断層画像が連続的に表示される表示時間を自動的に変更する工程と、を有する。
また、本発明に係る画像処理方法の一つは、
被検眼の複数の断層画像を連続的に表示手段に表示させる工程と、
前記複数の断層画像を評価する画像評価情報を取得する工程と、
前記取得された画像評価情報に基づいて、前記複数の断層画像のうち一部の断層画像の表示時間を他の断層画像とは異なる表示時間に自動的に変更する工程と、を有する。
また、本発明に係る眼科装置の一つは、
測定光を照射した被検眼からの戻り光と、該測定光に対応する参照光とを合波した合波光に基づいて、該被検眼の断層画像を取得する断層画像取得手段と、
前記複数の断層画像を連続的に表示手段に表示させる表示制御手段と、
前記複数の断層画像の数に基づいて、所定の領域において前記複数の断層画像が連続的に表示される表示時間を自動的に変更する変更手段と、を有する。
また、本発明に係る医療システムの一つは、
測定光を照射した被検査物からの戻り光と、該測定光に対応する参照光とを合波した合波光に基づいて該被検査物の断層画像を取得する医療装置を有する医療システムであって、
前記複数の断層画像を連続的に表示手段に表示させる表示制御手段と、
前記複数の断層画像の数に基づいて、所定の領域において前記複数の断層画像が連続的に表示される表示時間を自動的に変更する変更手段と、を有する。